(57)【要約】【課題】  放射性医薬品を準備する業務を効率化すること。【解決手段】  実施形態によれば、管理装置は、演算部と、決定部と、提示部とを備える。演算部は、患者に関する患者情報及び放射線検査に関する検査オーダ情報に基づいて必要放射能量を算出する。決定部は、前記算出された必要放射能量、及び、病院内で供給可能な放射能溶液の放射能濃度に基づいて、放射性医薬品の調製方法を決定する。提示部は、前記決定した調製方法を提示する。【選択図】      図２
2019185116.tif 000002
【特許請求の範囲】
【請求項１】
患者に関する患者情報及び放射線検査に関する検査オーダ情報に基づいて必要放射能量を算出する演算部と、
前記算出された必要放射能量、及び、病院内で供給可能な放射能溶液の放射能濃度に基づいて、放射性医薬品の調製方法を決定する決定部と、
前記決定した調製方法を提示する提示部と、
を備える管理装置。
【請求項２】
前記検査オーダ情報に含まれる患者の当日の体重を取得する取得部をさらに備え、
前記演算部は、少なくとも前記取得した体重に基づいて必要な放射能量を算出する、
請求項１に記載の管理装置。
【請求項３】
前記放射能溶液は、前記病院内においてジェネレータから溶出される娘核種を含む放射能溶液であり、
前記演算部は、
前記算出した必要放射能量、及び、前記ジェネレータから溶出される溶出時刻における前記放射能濃度に基づいて、前記放射能溶液から抜き取る抜き取り液量を算出し、
前記決定部は、
前記算出した抜き取り液量に基づいて、前記放射性医薬品の調製方法を決定する、
請求項１又は２に記載の管理装置。
【請求項４】
前記決定部は、前記放射性医薬品の調製に必要なジェネレータの候補、及びキットの候補を選択し、
前記提示部は、前記選択したジェネレータの候補、及び、前記選択したキットの候補を提示する、
請求項３に記載の管理装置。
【請求項５】
前記演算部は、前記抜き取り液量を、前記ジェネレータの候補、前記キットの候補、及び前記放射能溶液が収容される溶出バイアルの容量の組み合わせ毎に算出し、
前記決定部は、前記組み合わせで定まる前記溶出バイアルのうち、前記算出された抜き取り液量が所定量以上である溶出バイアルを、前記検査オーダ情報に含まれる検査オーダ毎に、前記調製に使用する溶出バイアルの候補として選出する請求項４に記載の管理装置。
【請求項６】
前記決定部は、前記検査オーダ情報に含まれる複数の検査オーダに対して同一の前記溶出バイアルの候補が選出されている場合、前記複数の検査オーダのうち前記選出された溶出バイアルの候補の数が少ない検査オーダに対して、当該同一の前記溶出バイアルの候補を優先的に割り当てる請求項５に記載の管理装置。
【請求項７】
前記決定部は、前記検査オーダ情報に含まれる入院又は外来の別に基づいて、前記放射性医薬品を、シリンジ製剤及びキット製剤のうちいずれを用いて準備するかを決定する請求項１乃至６のうちいずれかに記載の管理装置。
【請求項８】
前記決定部は、外部発注が不可能な前記放射性医薬品については、当該放射性医薬品を、前記入院又は外来の別を参照せずに前記キット製剤を用いて準備すると決定する請求項７に記載の管理装置。
【請求項９】
コンピュータに、
患者に関する患者情報及び放射線検査に関する検査オーダ情報に基づいて必要放射能量を算出する演算機能と、
前記算出された必要放射能量、及び、病院内で供給可能な放射能溶液の放射能濃度に基づいて、放射性医薬品の調製方法を決定する決定機能と、
前記決定した調製方法を提示する提示機能と、
を実行させるプログラム。
【発明の詳細な説明】
【技術分野】
【０００１】
本発明の実施形態は、管理装置、及びプログラムに関する。
【背景技術】
【０００２】
放射性医薬品は、ＲＩ（ラジオアイソトープ）を用いた医薬品である。このＲＩは半減期が短いため、病院内においては、半減期を考慮して放射性医薬品を準備する必要がある。放射性医薬品の準備では、例えば、放射線技師等は、放射性医薬品を病院内で調製する場合、ジェネレータ、及びキットを含むキット製剤を外部から購入する。放射線技師等は、購入したキット製剤を用いて放射性医薬品を調製する。
【０００３】
このとき、放射線技師等は、検査オーダに含まれる放射性医薬品の患者への投与日時、患者の年齢、及び患者の体重等に基づいて、検査に必要な必要放射能量を計算する。放射線技師等は、計算した必要放射能量に基づいて、放射性医薬品の調製に使用するジェネレータ、及びキットを選択する。放射線技師等は、計算した必要放射能量、並びに、選択したジェネレータ、及びキット等に基づいて放射性医薬品を調製するための各種パラメータを決定し、調製手順書を作成する。放射線技師等は、作成した調製手順書に従い、放射性医薬品を調製する。
【０００４】
しかしながら、必要放射能量の計算、及び調製手順書の作成は、放射線技師等にとって大きな負担であり、多くの時間を要する。このため、放射性医薬品が効率的に準備できない。
【先行技術文献】
【特許文献】
【０００５】
【特許文献１】特開２００５−３２４００７号公報
【発明の概要】
【発明が解決しようとする課題】
【０００６】
本発明が解決しようとする課題は、放射性医薬品を準備する業務を効率化することにある。
【課題を解決するための手段】
【０００７】
実施形態によれば、管理装置は、演算部と、決定部と、提示部とを備える。演算部は、患者に関する患者情報及び放射線検査に関する検査オーダ情報に基づいて必要放射能量を算出する。決定部は、前記算出された必要放射能量、及び、病院内で供給可能な放射能溶液の放射能濃度に基づいて、放射性医薬品の調製方法を決定する。提示部は、前記決定した調製方法を提示する。
【図面の簡単な説明】
【０００８】
【図１】図１は、実施形態に係る管理装置が含まれる医療情報システムを表すブロック図である。
【図２】図２は、図１に示される管理装置の機能構成を示すブロック図である。
【図３】図３は、実施形態に係る管理装置が、放射性医薬品を準備するための各種パラメータを決定する際の処理回路の動作を表すフローチャートである。
【図４】図４は、実施形態に係る管理装置が、放射性医薬品を準備するための各種パラメータを決定する際の処理回路の動作を表すフローチャートである。
【図５】図５は、実施形態に係るＲＩＳ端末のディスプレイに表示される検査オーダ一覧を示す図である。
【図６】図６は、実施形態に係る放射性医薬品情報を示す図である。
【図７】図７は、実施形態に係る検査情報を示す図である。
【図８】図８は、実施形態に係るジェネレータ情報を示す図である。
【図９】図９は、実施形態に係るキット情報を示す図である。
【図１０】図１０は、実施形態に係る溶出放射能情報を示す図である。
【図１１】図１１は、実施形態に係る溶出放射能情報を示す図である。
【図１２】図１２は、実施形態に係るＲＩＳ端末が備えるディスプレイに表示される準備方法一覧を表す図である。
【図１３】図１３は、実施形態に係るＲＩＳ端末が備えるディスプレイに表示される準備方法の詳細を表す図である。
【図１４】図１４は、実施形態に係る管理装置が、各検査について、放射能量に関する上限値を超える検査を警告表示する際の処理回路の動作を表すフローチャートである。
【図１５】図１５は、実施形態に係るＲＩＳ端末が備えるディスプレイに表示される準備方法一覧の他の例を表す図である。
【図１６】図１６は、他の実施形態に係るＲＩＳサーバが含まれる医療情報システムを表すブロック図である。
【図１７】図１７は、図１６に示されるＲＩＳサーバの機能構成を示すブロック図である。
【発明を実施するための形態】
【０００９】
以下、実施の形態について、図面を参照して説明する。
【００１０】
図１は、本実施形態に係る管理装置２３が含まれる医療情報システムの例を表すブロック図である。図１に示される医療情報システムは、病院情報システム（ＨＩＳ：Hospital Information System）１、放射線部門情報管理システム（ＲＩＳ：Radiology Information System）２、医用画像診断装置３、及び医用画像管理システム（ＰＡＣＳ：Picture Archiving and Communication System）４を備える。
【００１１】
病院情報システム１、放射線部門情報管理システム２、医用画像診断装置３、及び医用画像管理システム４は、ローカルネットワークに接続し、所定の装置へ情報を送信すると共に、所定の装置から送信される情報を受信する。なお、医療情報システムは、ローカルネットワークに加え、又は、ローカルネットワークの代わりに、外部のネットワークに接続しても構わない。
【００１２】
病院情報システム１は、病院内で発生する情報を管理する。病院内で発生する情報には、患者情報、及び検査オーダ情報等が含まれる。患者情報に含まれる各レコードは、項目として、患者ＩＤ、患者名、性別、身長、体重、年齢、及び血液型等を有する。検査オーダ情報に含まれる各レコードは、項目として、検査を識別可能なオーダ番号、患者ＩＤ、入院又は外来の別、検査コード、診療科目、放射性医薬品、検査部位、検査種別、及び検査予定日時等を有する。オーダ番号は、検査オーダ情報が入力される際に発行される番号であり、例えば１つの病院内で検査オーダ情報を一意に特定するための識別子である。患者ＩＤは、患者毎に付与され、例えば１つの病院内で患者を一意に特定するための識別子である。検査コードは、例えば１つの病院内で規定される、検査を一意に特定するための識別子である。診療科目は、例えば医療において診療の専門分野区分を示すものである。具体的には、診療科目は、内科、及び外科等である。放射性医薬品は、放射性医薬品を一意に特定するための識別子である。検査部位には、腎臓、肺、肝臓、及び精巣等が含まれる。検査種別には、腎シンチグラム、肺シンチグラム、肝シンチグラム、及び精巣シンチグラム検査等が含まれる。
【００１３】
病院情報システム１は、例えば診療医から検査オーダ情報が入力されると。入力された検査オーダ情報と、この検査オーダ情報により特定される患者情報とを放射線部門情報管理システム２に送信する。
【００１４】
放射線部門情報管理システム２は、放射線検査業務に係る検査予約情報を管理するシステムである。放射線部門情報管理システム２は、ＲＩＳサーバ２１、ＲＩＳ端末１２、及び管理装置２３を含む。
【００１５】
ＲＩＳサーバ２１は、放射線部門情報管理システム２において、放射線検査業務に係る情報を管理する。
【００１６】
ＲＩＳサーバ２１は、例えば病院情報システム１から送信される検査オーダ情報を受信し、受信した検査オーダ情報に各種設定情報を付加して集積し、集積した情報を検査予約情報として管理する。具体的には、ＲＩＳサーバ２１は、病院情報システム１から送信される患者情報及び検査オーダ情報を受信すると、受信した患者情報及び検査オーダ情報に基づいて、医用画像診断装置３を動作させるために必要な検査予約情報を生成する。検査予約情報には、例えば、オーダ番号、患者ＩＤ、検査種別、手技、検査部位、体位、及び撮影方向等の検査の実施に必要な情報が含まれる。
【００１７】
このとき、ＲＩＳサーバ２１は、例えば、患者情報、及び検査オーダ情報に基づく放射線検査依頼をＲＩＳ端末２２から受け付け、受け付けた放射線検査依頼に基づいて、検査予約情報を生成する。なお、ＲＩＳサーバ２１は、例えば、受信した患者情報及び検査オーダ情報に加えて、過去の検査の際に医用画像診断装置３において設定された各種設定情報を記録した照射録に基づいて、検査予約情報を生成してもよい。
【００１８】
ＲＩＳサーバ２１は、生成した検査予約情報を医用画像診断装置３へ送信する。そして、ＲＩＳサーバ２１は、医用画像診断装置３において検査が実施された結果生成される検査の実施結果を表す検査実施情報を医用画像診断装置３から受信する。ＲＩＳサーバ２１は、受信した検査実施情報を病院情報システム１へ出力する。
【００１９】
ＲＩＳ端末２２は、ＲＩＳサーバ２１、及び管理装置２３に接続され、例えば放射線技師等が放射線部門の各種業務を遂行するために使用される。ＲＩＳ端末２２は、例えば、不図示の入力インターフェース、ディスプレイ、及び通信インターフェースを備えている。
【００２０】
入力インターフェースは、例えば、マウス、キーボード、及び、操作面へ触れることで指示が入力されるタッチパネル等により実現される。入力インターフェースは、例えば、操作者からの表示指示を受け付ける。入力インターフェースは、操作者からの表示指示を電気信号へ変換し、電気信号を処理回路へ出力する。
【００２１】
ディスプレイは、放射線部門の各種業務を遂行するため種々の情報を表示する。ディスプレイとしては、例えば、ＣＲＴディスプレイ、液晶ディスプレイ、有機ＥＬディスプレイ、ＬＥＤディスプレイ、プラズマディスプレイ、及び当技術分野で知られている他の任意のディスプレイが適宜利用可能である。また、ディスプレイには、可搬型の入力インターフェースを備えたディスプレイも含まれる。
【００２２】
管理装置２３は、例えば、病院内で使用される放射性医薬品に関する情報を管理する。管理装置２３の詳細については後述する。
【００２３】
医用画像診断装置３は、患者を撮影等することにより検査を実施する装置である。医用画像診断装置３は、例えばＸ線コンピュータ断層撮影装置、Ｘ線診断装置、磁気共鳴イメージング装置、核医学診断装置、及び超音波診断装置等を含む。医用画像診断装置３は、例えばＲＩＳサーバ２１から送信される検査予約情報に基づいて検査を実施する。医用画像診断装置３は、検査実施情報を生成し、ＲＩＳサーバ２１に送信する。
【００２４】
また、医用画像診断装置３は、検査の実施により医用画像データを生成する。医用画像データは、例えばＸ線ＣＴ画像データ、Ｘ線画像データ、ＭＲＩ画像データ、核医学画像データ、及び超音波画像データ等である。医用画像診断装置３は、生成した医用画像データを例えばＤＩＣＯＭ（Digital Imaging and Communication in Medicine）規格に準拠した形式に変換することにより、医用画像ファイルを生成する。医用画像ファイルは、例えば、ＤＩＣＯＭ規格に準拠した形式のファイルである。医用画像診断装置３は、生成した医用画像ファイルを医用画像管理システム４に送信する。
【００２５】
医用画像管理システム４は、種々の医用画像ファイルを管理するシステムである。医用画像管理システム４は、例えば、医用画像診断装置３から送信された医用画像ファイルを記憶する。
【００２６】
次に、本実施形態に係る管理装置２３の詳細について図２を参照しながら説明する。図２は、図１に示される管理装置２３の機能構成を示すブロック図である。
【００２７】
図２に示される管理装置２３は、処理回路２３０、メモリ２４０、及び通信インターフェース２５０を有する。処理回路２３０、メモリ２４０、及び通信インターフェース２５０は、例えば、バスを介して互いに通信可能に接続されている。
【００２８】
処理回路２３０は、管理装置２３の中枢として機能するプロセッサである。管理装置２３は、メモリ２４０等に記憶されている制御プログラムを実行することにより、当該プログラムに対応する機能を実現する。
【００２９】
メモリ２４０は、種々の情報を記憶するＨＤＤ（hard disk drive）、ＳＳＤ（solid state drive）、及び集積回路記憶装置等の記憶装置である。また、メモリ２４０は、ＣＤ−ＲＯＭドライブ、ＤＶＤドライブ、及びフラッシュメモリ等の可搬性記憶媒体との間で種々の情報を読み書きする駆動装置等であっても良い。メモリ２４０は、本実施形態に係る制御プログラム等を記憶している。なお、当該プログラムは、例えば、非一過性の記憶媒体に記憶されて配布され、非一過性の記憶媒体から読み出されてメモリ２４０にインストールされてもよい。
【００３０】
また、メモリ２４０は、例えば、医薬品情報２４１を記憶している。医薬品情報２４１は、例えば、医薬品に関する情報を含む。医薬品情報２４１では、例えば、放射性医薬品を特定する項目と、当該放射性医薬品の発注の制約に関する項目とが関連付けられている。
【００３１】
また、メモリ２４０は、例えば、検査情報２４２を記憶している。検査情報２４２は、例えば、検査に必要な放射性医薬品、及び当該放射性医薬品に係る必要放射能量を算出するための情報を含む。検査情報２４２では、例えば、検査を特定する項目と、当該検査に用いられる放射性医薬品の放射能量に関する項目とが関連付けられている。
【００３２】
また、メモリ２４０は、例えば、親核種から娘核種を生成するジェネレータに関するジェネレータ情報２４３を記憶している。親核種は、例えば、モリブデン９９（９９Ｍｏ）である。娘核種は、例えば、放射性テクネチウム９９（９９ｍＴｃ）である。ジェネレータに用いられる親核種と娘核種の組み合わせは、９９Ｍｏ−９９ｍＴｃに限られず、親核種の半減期が娘核種の半減期より非常に長く、放射平衡が成立する組み合わせであれば、どのような組み合わせでもよい。ジェネレータ情報２４３は、例えば、院内に保管されているジェネレータ、及び、検査当日に院内に納入されるジェネレータに関する情報を含む。ジェネレータ情報２４３では、例えば、ジェネレータを特定する項目と、当該ジェネレータの特性を表す項目とが関連付けられている。
【００３３】
また、メモリ２４０は、例えば、放射性医薬品の調製に用いられるキットに関するキット情報２４４を記憶している。キット情報２４４は、例えば、院内に保管されているキット、及び、検査当日に院内に納入される予定のキットに関する情報を含む。キット情報２４４では、キットを特定する項目と、当該キットの特性を表す項目とが関連付けられている。
【００３４】
また、メモリ２４０は、ジェネレータ毎、及び検査日時毎に、溶出可能な放射能量に関する情報を表す溶出放射能情報２４５を記憶している。溶出放射能情報２４５は、例えば、院内に保管されているジェネレータ、及び、検査当日に院内に納入される予定のジェネレータについて、納入日以降の検査日の各時刻において溶出可能な放射能量に関する情報を含む。溶出放射能情報２４５では、例えば、ジェネレータ毎、及びジェネレータから溶出された娘核種を含む放射能溶液を収容するための溶出バイアルの容量毎に、納入日以降の検査日の各時刻と、半減期を考慮して算出された溶出可能な放射能量とが関連付けられている。
【００３５】
通信インターフェース２５０は、病院内ネットワークを介して接続された病院情報システム１、ＲＩＳサーバ２１、ＲＩＳ端末２２、医用画像診断装置３、及び医用画像管理システム４との間でデータ通信を行う。病院情報システム１、ＲＩＳサーバ２１、ＲＩＳ端末２２、医用画像診断装置３、及び医用画像管理システム４との通信の規格は、如何なる規格であっても良いが、例えば、ＨＬ７（Hearth Level 7）、ＤＩＣＯＭ、又はその両方等が挙げられる。
【００３６】
本実施形態に係る処理回路２３０は、取得機能２３１、演算機能２３２、決定機能２３３、及び表示制御機能２３４を有する。
【００３７】
取得機能２３１は、放射性医薬品を用いる検査に関する情報を取得する機能である。取得機能２３１の実行により処理回路２３０は、例えば、ＲＩＳサーバ２１から患者に関する患者情報、及び放射線検査に関する検査オーダ情報を取得する。また、取得機能２３１の実行により処理回路２３０は、例えば、通信インターフェース２５０を介して、検査オーダ情報に含まれる患者について測定された体重の値を取得する。具体的には、処理回路２３０は、通信インターフェース２５０を介して、例えば、検査日の前日に測定された患者の体重の値を取得する。この患者の体重の値は、例えば、ＲＩＳ端末２２が備える入力インターフェースを介して入力される。患者の体重の値は、例えば、検査予定日時からできるだけ近い日時に取得される値、例えば、検査予定日の前日に測定されたものである。なお、患者の体重の値は、検査日の前日に測定された値に限られず、検査日当日からより近い日時、例えば検査日当日に測定されたものであってもよい。
【００３８】
演算機能２３２は、放射性医薬品の調製に必要な各種パラメータを演算する機能である。演算機能２３２の実行により処理回路２３０は、例えば、患者情報及び検査オーダ情報に基づいて、当該検査オーダに係る検査に必要な必要放射能量を算出する。具体的には、処理回路２３０は、検査オーダ情報、検査情報２４２、及び取得機能２３１により取得される体重に基づいて必要放射能量を算出する。
【００３９】
また、処理回路２３０は、ジェネレータ情報２４３、及び溶出放射能情報２４５を参照し、ジェネレータ、溶出バイアルの容量、及び検査日時で定まる放射能濃度を取得する。この放射能濃度は、ジェネレータから溶出バイアルに溶出可能な娘核種の放射能濃度を表す。
【００４０】
処理回路２３０は、算出した放射能量、及び、取得した放射能濃度に基づいて、放射能溶液が収容された溶出バイアルから抜き取る抜き取り液量を、ジェネレータ、キット、及び溶出バイアルの容量の組み合わせ毎に算出する。
【００４１】
決定機能２３３は、放射性医薬品の準備方法を決定する機能である。決定機能２３３の実行により処理回路２３０は、例えば、検査オーダ情報、及び医薬品情報２４１に基づいて、放射性医薬品をシリンジ製剤及びキット製剤のうちいずれを用いて準備するかを決定する。シリンジ製剤は、患者に直接投与することが可能なシリンジタイプの放射性医薬品を表す。キット製剤は、放射性医薬品を病院内で調製して患者に投与するためのキット一式を表す。キット製剤は、ジェネレータ、及びキットの組み合わせを含む。
【００４２】
また、処理回路２３０は、演算機能２３２により算出された必要放射能量、及び、病院内で供給可能な放射能溶液の放射能濃度に基づいて、放射性医薬品を調製する調製方法を決定する。具体的には、処理回路２３０は、放射性医薬品をキット製剤を用いて準備すると決定した検査オーダについて、演算機能２３２により算出された必要放射能量に基づいて、ジェネレータの候補、及びキットの候補を選択する。
【００４３】
処理回路２３０は、演算機能２３２により算出された溶出バイアルの抜き取り液量が、所定量以上であるか否か判定する。処理回路２３０は、算出された抜き取り液量が所定量以上である溶出バイアルを、放射性医薬品の調製に使用する溶出バイアルの候補として選出する。処理回路２３０は、選出した溶出バイアルの候補の中から、各検査オーダに係る検査で使用する１つの溶出バイアルを決定する。これにより、各検査で使用する１組のジェネレータ、キット、及び溶出バイアルの容量の組み合わせが決定される。
【００４４】
表示制御機能２３４は、病院内で使用される放射性医薬品に関する情報を提示する機能である。表示制御機能２３４の実行により処理回路２３０は、例えば、決定機能２３３により決定した検査で使用される放射性医薬品の準備方法を提示する。具体的には、処理回路２３０は、放射性医薬品をシリンジ製剤及びキット製剤のうちいずれを用いて準備するかを、ＲＩＳ端末２２が備えるディスプレイに表示する。
【００４５】
また、処理回路２３０は、放射性医薬品がキット製剤を用いて準備される場合、当該放射性医薬品の調製方法を提示する。具体的には、処理回路２３０は、例えば、調製に用いられるジェネレータ、キット、及び調製に必要な各種パラメータ等を、ＲＩＳ端末２２が備えるディスプレイに表示する。
【００４６】
また、表示制御機能２３４は、特許請求の範囲に記載の提示部の一例である。
【００４７】
取得機能２３１、演算機能２３２、決定機能２３３、及び表示制御機能２３４は、制御プログラムとして組み込まれていてもよいし、処理回路２３０自体に各機能を実行可能な専用のハードウェア回路が組み込まれていてもよい。
【００４８】
次に、本実施形態に係る管理装置２３の各種動作について、図を参照して説明する。
【００４９】
図３は、本実施形態に係る管理装置２３が、放射性医薬品を準備するための各種パラメータを決定する際の処理回路の動作を表すフローチャートである。以下の説明では、処理回路２３０は、取得した検査オーダ情報に含まれる各検査オーダについて、使用する放射性医薬品の準備の態様に関するフラグ、例えばキットフラグ、及びシリンジフラグを内部メモリに保持しているものとする。キットフラグは、キットフラグ＝１である場合、対応する検査オーダに係る検査で使用する放射性医薬品をキット製剤を用いて準備することを表す。シリンジフラグは、シリンジフラグ＝１である場合、対応する検査オーダに係る検査で使用する放射性医薬品をシリンジ製剤を用いて準備することを表す。なお、キットフラグ、及びシリンジフラグの初期値は、それぞれ０に設定されているものとする。また、各ジェネレータ、及びキットの組み合わせに対しては、容量が５ｍｌ、及び１０ｍｌである２つのタイプの溶出バイアルがそれぞれ組み合わせ可能であるものとする。また、溶出バイアルは、キットに同封されているものを用いるものとする。また、本実施形態に係る病院では、包括医療費支払い制度（ＤＰＣ：Diagnosis Procedure Combination）を採用しているものとする。
【００５０】
処理回路２３０は、例えば、ＲＩＳ端末２２の入力インターフェース、及び通信インターフェースを介して、放射性医薬品の準備を開始する開始指示が入力されると、取得機能２３１を実行し、通信インターフェース２５０を介して、例えば、ＲＩＳサーバ２１から患者情報、及び検査オーダ情報を取得する（ステップＳＡ１）。なお、処理回路２３０は、通信インターフェース２５０を介して、例えば、病院情報システム１から患者情報、及び検査オーダ情報を取得してもよい。
【００５１】
処理回路２３０は、表示制御機能２３４を実行し、取得した患者情報、及び検査オーダ情報に基づいて、検査オーダ一覧を表す情報を生成し、ＲＩＳ端末２２のディスプレイに検査オーダ一覧を表示させる（ステップＳＡ２）。具体的には、処理回路２３０は、検査オーダ一覧を表す情報を、通信インターフェース２５０を介し、ＲＩＳ端末２２に送信する。これにより、ＲＩＳ端末２２のディスプレイに検査オーダ一覧が表示される。図５は、本実施形態に係るＲＩＳ端末２２のディスプレイに表示される検査オーダ一覧の例を示す図である。図５に示される検査オーダ一覧には、４つの検査オーダについて、オーダ番号、患者ＩＤ、患者名、入院又は外来の別、体重、検査コード、放射性医薬品、検査部位、検査種別、及び検査日時が表示されている。また、図５に示される検査オーダ一覧では、体重を表示する領域は空白となっている。また、図５では、空白となっている体重を表示する領域に体重を入力することを促す「体重を入力して下さい」の文字列が表示されている。
【００５２】
処理回路２３０は、図５に示される検査オーダ一覧をＲＩＳ端末２２のディスプレイに表示すると、通信インターフェース２５０を介して、ＲＩＳ端末２２から検査毎に患者の体重の入力を受け付ける（ステップＳＡ３）。このとき、例えば、放射線技師等は、ＲＩＳ端末２２のディスプレイを視認し、ＲＩＳ端末２２の入力インターフェースを介して、患者の体重を入力する。このとき、図５に示される各検査オーダについて、オーダ番号「００００１」である検査オーダに係る検査の検査対象となる患者については「５０」ｋｇ、オーダ番号「０００１０」である検査オーダに係る検査対象となる患者については「１００」ｋｇ、オーダ番号「００１００」である検査オーダに係る検査対象となる患者については「６０」ｋｇ、オーダ番号「０１０００」である検査オーダに係る検査対象となる患者については「１００」ｋｇがそれぞれ入力されるものとする。
【００５３】
なお、処理回路２３０は、ＲＩＳ端末２２の入力インターフェースを介さずに、検査予定日の前日に予め検査オーダに係る検査の検査対象となる患者の体重が入力された設定ファイルを読み込むことにより、当該患者の体重の値を取得するようにしてもよい。
【００５４】
処理回路２３０は、例えば、ステップＳＡ３において、図５に示される検査オーダ一覧に表示されている全ての検査について患者の体重の入力を受け付けると、ステップＳＡ１で取得した検査オーダ情報に含まれるオーダ番号「００００１」である検査オーダを１レコード分読み込む（ステップＳＡ４）。すなわち、処理回路２３０は、図５に示されるオーダ番号「００００１」、患者ＩＤ「１０００１」、入院又は外来の別「入院」、検査コード「２０００１」、放射性医薬品「Ｘ注射液」、検査部位「腎臓」、検査種別「腎シンチグラム」、及び検査日時「2018.3.21 13:30」である検査オーダに係るレコードを読み込む。
【００５５】
処理回路２３０は、決定機能２３３を実行し、読み込んだ検査オーダ、及びメモリ２４０に記憶されている医薬品情報２４１を参照し、当該検査オーダに係る検査で使用する放射性医薬品が外部発注可能であるか否か判定する（ステップＳＡ５）。図６は、本実施形態に係る医薬品情報２４１の例を示す図である。図６に示される医薬品情報２４１に含まれる各レコードは、項目として、放射性医薬品、及び外注可否を有する。外注可否は、対応する放射性医薬品が病院の外部に発注可能か否かを表す。図６に示されるように、読み込んだ検査オーダに係る放射性医薬品「Ｘ注射液」は、外注可否項目が「可」であるため、病院の外部に発注可能であることを示す。
【００５６】
このため、処理回路２３０は、読み込んだオーダ番号「００００１」である検査オーダに係る放射性医薬品「Ｘ注射液」は外部発注可能であると判定し（ステップＳＡ５のＹｅｓ）、読み込んだオーダ番号「００００１」である検査オーダに含まれる入院又は外来の別を参照し、当該検査オーダに係る検査が入院検査であるか否か判定する（ステップＳＡ６）。
【００５７】
なお、処理回路２３０は、医薬品情報２４１において、読み込んだ検査オーダに含まれる放射性医薬品の外注可否項目が「不可」である場合、外部発注可能でないと判定し（ステップＳＡ５のＮｏ）、当該検査オーダについて、キットフラグ＝１と設定する（ステップＳＡ９）。
【００５８】
処理回路２３０は、図５に示されるように、オーダ番号「００００１」である検査オーダに対応する入院又は外来の別は「入院」であるため、入院検査であると判定し（ステップＳＡ６のＹｅｓ）、読み込んだオーダ番号「００００１」である検査オーダについて、キットフラグ＝１と設定する（ステップＳＡ７）。なお、入院又は外来の別が「入院」である場合にキットフラグ＝１と設定するのは、包括医療費支払い制度の下では、入院検査である場合、投薬、注射、画像診断、及び検査等に関する一定期間の診療報酬が、例えば病名の分類ごとに一定となるため、病院側にとってはコストを安く抑える観点から、シリンジ製剤よりコストの比較的安いキット製剤を準備するのが好ましいためである。
【００５９】
なお、処理回路２３０は、ステップＳＡ６において、読み込んだ検査オーダに対応する入院又は外来の別が「外来」である場合、当該検査オーダに係る検査は入院検査でないと判定し（ステップＳＡ６のＮｏ）、当該検査オーダについて、シリンジフラグ＝１と設定する（ステップＳＡ９）。なお、入院又は外来の別が「外来」である場合にシリンジフラグ＝１と設定するのは、外来検査の場合、費用請求手続の便宜の観点から、価格の定まっているシリンジ製剤を外部から購入して準備するのが好ましいためである。
【００６０】
処理回路２３０は、オーダ番号「００００１」である検査オーダについて、キットフラグ＝１と設定すると（ステップＳＡ７）、検査オーダ情報に含まれる全ての検査オーダを読み込んだか否か判定する（ステップＳＡ１０）。
【００６１】
処理回路２３０は、全ての検査オーダを読み込んでいないため（ステップＳＡ１０のＮｏ）、検査オーダ情報に含まれる検査オーダのうち、例えば、次のオーダ番号「０００１０」である検査オーダに係るレコードを１レコード読み込む（ステップＳＡ４）。すなわち、処理回路２３０は、図５に示されるオーダ番号「０００１０」、患者ＩＤ「１００１０」、入院又は外来の別「入院」、検査コード「２００１０」、放射性医薬品「Ｙ注射液」、検査部位「肺」、検査種別「肺シンチグラム」、及び検査日時「2018.3.21 14:30」である検査オーダに係るレコードを読み込む。
【００６２】
処理回路２３０は、読み込んだレコードについて、ステップＳＡ５からステップＳＡ９までの処理を実行する。このとき、処理回路２３０は、ステップＳＡ５において、図６に示される医薬品情報２４１を参照し、読み込んだオーダ番号「０００１０」である検査オーダに係る放射性医薬品「Ｙ注射液」は外部発注可能でないと判定し（ステップＳＡ５のＮｏ）、当該検査オーダについて、キットフラグ＝１と設定する（ステップＳＡ９）。
【００６３】
処理回路２３０は、オーダ番号「０００１０」である検査オーダについて、キットフラグ＝１と設定すると（ステップＳＡ９）、検査オーダ情報に含まれる全ての検査オーダを読み込んだか否か判定する（ステップＳＡ１０）。
【００６４】
処理回路２３０は、全ての検査オーダを読み込んでいないため（ステップＳＡ１０のＮｏ）、例えば、次のオーダ番号「００１００」である検査オーダに係るレコードを読み込む（ステップＳＡ４）。すなわち、処理回路２３０は、図５に示されるオーダ番号「００１００」、患者ＩＤ「１０１００」、入院又は外来の別「外来」、検査コード「２０１００」、放射性医薬品「Ｚ注射液」、検査部位「肝臓」、検査種別「肝臓シンチグラム」、及び検査日時「2018.3.21 15:00」である検査オーダに係るレコードを読み込む。
【００６５】
処理回路２３０は、読み込んだレコードについて、ステップＳＡ５からステップＳＡ９までの処理を実行する。このとき、処理回路２３０は、ステップＳＡ５において、医薬品情報２４１を参照し、読み込んだオーダ番号「００１００」である検査オーダに係る放射性医薬品「Ｚ注射液」は外部発注可能であると判定する（ステップＳＡ５のＹｅｓ）。また、処理回路２３０は、ステップＳＡ６において、オーダ番号「００１００」である検査オーダに対応する入院又は外来の別は「外来」であるため、外来検査であると判定し（ステップＳＡ６のＮｏ）、読み込んだオーダ番号「００１００」である検査オーダに係るレコードについて、シリンジフラグ＝１と設定する（ステップＳＡ８）。
【００６６】
処理回路２３０は、オーダ番号「００１００」である検査オーダについて、シリンジフラグ＝１と設定すると（ステップＳＡ８）、検査オーダ情報に含まれる全ての検査オーダを読み込んだか否か判定する（ステップＳＡ１０）。
【００６７】
処理回路２３０は、全ての検査オーダを読み込んでいないため（ステップＳＡ１０のＮｏ）、例えば、最後のオーダ番号「０１０００」である検査オーダに係るレコードを読み込む（ステップＳＡ４）。すなわち、処理回路２３０は、図５に示されるオーダ番号「０１０００」、患者ＩＤ「１１０００」、入院又は外来の別「外来」、検査コード「２１０００」、放射性医薬品「Ｙ注射液」、検査部位「精巣」、検査種別「精巣シンチグラム」、及び検査日時「2018.3.21 16:00」である検査オーダに係るレコードを読み込む。処理回路２３０は、読み込んだレコードについて、ステップＳＡ５からステップＳＡ１０までの処理を実行する。このとき、処理回路２３０は、ステップＳＡ５において、医薬品情報２４１を参照し、読み込んだオーダ番号「０１０００」である検査オーダに係る放射性医薬品「Ｙ注射液」は外部発注可能でないと判定し（ステップＳＡ５のＮｏ）、当該検査オーダについて、キットフラグ＝１と設定する（ステップＳＡ９）。
【００６８】
処理回路２３０は、オーダ番号「０１０００」である検査オーダについて、キットフラグ＝１と設定すると（ステップＳＡ９）、検査オーダ情報に含まれる全ての検査オーダを読み込んだか否か判定する（ステップＳＡ１０）。
【００６９】
処理回路２３０は、全ての検査オーダに係るレコードを読み込んでいるため（ステップＳＡ１０のＹｅｓ）、演算機能２３２を実行し、取得した検査オーダ情報に含まれる検査オーダのうち、キットフラグ＝１と設定した検査オーダについて、検査情報２４２を参照し、必要放射能量を算出する（ステップＳＡ１１）。図７は、本実施形態に係る検査情報２４２の例を示す図である。図７に示される検査情報２４２に含まれる各レコードは、項目として、検査コード、放射性医薬品、検査部位、検査種別、体重可変フラグ、単位質量当りの必要放射能量（ＭＢｑ／ｋｇ）、必要放射能量（基準値）（ＭＢｑ）及び上限値（ＭＢｑ）を有する。体重可変フラグは、患者に投与する必要放射能量が患者の体重によって変わるか否かを表す。上限値（ＭＢｑ）は、被爆を許容する放射能量の上限値を表す。なお、単位質量当りの必要放射能量（ＭＢｑ／ｋｇ）は、例えば、検査部位、検査種別、及び患者の年齢等が考慮された値である。
【００７０】
例えば、処理回路２３０は、図７に示される検査情報２４２において、キットフラグ＝１と設定した検査オーダに含まれる検査コードと一致するレコードの体重可変フラグ、及び単位質量当りの必要放射能量を取得する。また、処理回路２３０は、体重可変フラグ＝１であるレコードについて、対応する検査オーダの患者についてステップＳＡ３において入力された体重を取得する。そして、処理回路２３０は、取得した単位質量当りの必要放射能量、及び体重を用いて、必要放射能量を算出する。
【００７１】
具体的には、処理回路２３０は、例えば、検査コード「２０００１」、放射性医薬品「Ｘ注射液」、検査部位「腎臓」、検査種別「腎シンチグラム」、体重可変フラグ「１」、単位質量当りの必要放射能量「０．７６」（ＭＢｑ／ｋｇ）、必要放射能量（基準値）「−」（ＭＢｑ）、及び上限値「２５０」（ＭＢｑ）であるレコードを読み出す。処理回路２３０は、読み出したレコードについて、体重可変フラグが１であり、ステップＳＡ３において体重「５０」ｋｇが入力されているため、必要放射能量を０．７６（ＭＢｑ／ｋｇ）×５０（ｋｇ）＝３８（ＭＢｑ）と算出する。
【００７２】
また、処理回路２３０は、例えば、検査コード「２００１０」、放射性医薬品「Ｙ注射液」、検査部位「肺」、検査種別「肺シンチグラム」、体重可変フラグ「１」、単位質量当りの必要放射能量「１．８０」（ＭＢｑ／ｋｇ）、必要放射能量（基準値）「−」（ＭＢｑ）、及び上限値「４００」（ＭＢｑ）であるレコードを読み出す。処理回路２３０は、読み出したレコードについて、体重可変フラグが１であり、ステップＳＡ３において体重「１００」ｋｇが入力されているため、必要放射能量を１．８０（ＭＢｑ／ｋｇ）×１００（ｋｇ）＝１８０（ＭＢｑ）と算出する。
【００７３】
また、処理回路２３０は、例えば、検査コード「２０１００」、放射性医薬品「Ｚ注射液」、検査部位「肝臓」、検査種別「肝臓シンチグラム」、体重可変フラグ「０」、単位質量当りの必要放射能量「−」（ＭＢｑ／ｋｇ）、必要放射能量（基準値）「−」（ＭＢｑ）、及び上限値「６００」（ＭＢｑ）であるレコードを読み出す。処理回路２３０は、読み出したレコードについて、体重可変フラグ「０」が０であるため、必要放射能量（基準値）の値「２００」ＭＢｑを、必要放射能量として取得する。
【００７４】
また、処理回路２３０は、例えば、検査コード「２１０００」、放射性医薬品「Ｙ注射液」、検査部位「精巣」、検査種別「精巣シンチグラム」、体重可変フラグ「１」、単位質量当りの必要放射能量「４．５０」（ＭＢｑ／ｋｇ）、必要放射能量（基準値）「−」（ＭＢｑ）、及び上限値「４００」（ＭＢｑ）であるレコードを読み出す。処理回路２３０は、読み出したレコードについて、ステップＳＡ３において体重「１００」ｋｇが入力されているため、必要放射能量を４．５０（ＭＢｑ／ｋｇ）×１００（ｋｇ）＝４５０（ＭＢｑ）と算出する。
【００７５】
処理回路２３０は、キットフラグ＝１と設定した検査オーダについて、メモリ２４０に記憶されているジェネレータ情報２４３、及びキット情報２４４を参照し、放射性医薬品の調製に使用されるジェネレータの候補、及びキットの候補を選択する（ステップＳＡ１２）。図８は、本実施形態に係るジェネレータ情報２４３の例を示す図である。図８に示されるジェネレータ情報２４３に含まれる各レコードは、項目として、ジェネレータ番号、ジェネレータ名、検定日、及び放射能量を有する。ジェネレータ番号は、例えば、病院内で管理されるジェネレータを一意に識別可能な識別子である。ジェネレータ名は、ジェネレータを識別する文字列である。検定日は、放射性医薬品に含まれる放射能がいつの時点でどれくらいあるかを示すための基準として設定される基準日である。このとき、ジェネレータ名が同一であっても、検定日が異なれば、異なるジェネレータを表す。放射能量は、検定日の所定の時刻に溶出可能な放射能量を表す。
【００７６】
また、図９は、本実施形態に係るキット情報２４４の例を示す図である。図９に示されるキット情報２４４に含まれる各レコードは、項目として、キット番号、キット名、及び投与量（ＭＢｑ）を有する。キット番号は、例えば、病院内で管理されるキットを一意に識別可能な識別子である。キット名は、キットを識別可能な文字列である。投与量（ＭＢｑ）は、例えば、キットに添付される手順書又は添付文書に基づく目標量を表す。この目標量は、一定の幅を有していてもよい。
【００７７】
このとき、処理回路２３０は、例えば、図５に示されるオーダ番号「００００１」である検査オーダについて、必要放射能量が３８（ＭＢｑ）であるため、例えば、図８に示されるジェネレータ番号が１であるジェネレータ、すなわちジェネレータ名が「９９Ｍｏ−９９ｍＴｃ」、検定日が「2018.3.12」、及び放射能量が「７．４」ＧＢｑであるジェネレータを候補として選択する。また、処理回路２３０は、図８に示されるジェネレータ番号が２であるジェネレータ、すなわちジェネレータ名が「９９Ｍｏ−９９ｍＴｃ」、検定日が「2018.3.19」、及び放射能量が「７．４」ＧＢｑであるジェネレータを候補として選択する。ジェネレータの選択基準は、例えば、検査日時において必要放射能量を溶出可能であることである。また、処理回路２３０は、オーダ番号「００００１」である検査オーダについて、必要放射能量の３８（ＭＢｑ）であるため、図９に示されるキット番号が１であるキット、すなわちキット名が「Ａ」、投与量（ＭＢｑ）が「３７−１８５」であるキットを候補として選択する。キットの選択基準は、例えば、必要放射能量が投与量（ＭＢｑ）が示す範囲に含まれていることである。
【００７８】
また、処理回路２３０は、例えば、図５に示されるオーダ番号「０００１０」である検査オーダについて、必要放射能量が１８０（ＭＢｑ）であるため、例えば、図８に示されるジェネレータ番号が１、及び２であるジェネレータを候補として選択する。また、処理回路２３０は、オーダ番号「０００１０」である検査オーダについて、必要放射能量の１８０（ＭＢｑ）であるため、図９に示されるキット番号が１であるキットを候補として選択する。また、処理回路２３０は、図９に示されるキット番号が２であるキット、すなわちキット名が「Ｂ」、投与量（ＭＢｑ）が「７４−５５５」であるキットを候補として選択する。
【００７９】
また、処理回路２３０は、例えば、図５に示されるオーダ番号「０１０００」である検査オーダについて、必要放射能量が４５０（ＭＢｑ）であるため、例えば、図８に示されるジェネレータ番号が１、及び２であるジェネレータを候補として選択する。また、処理回路２３０は、例えば、図５に示されるオーダ番号「０１０００」である検査オーダについて、必要放射能量が４５０（ＭＢｑ）であるため、図９に示されるキット番号が２であるキットを候補として選択する。
【００８０】
なお、処理回路２３０は、図５に示されるオーダ番号「００１００」である検査オーダについては、シリンジフラグ＝１と設定されているため、ジェネレータ候補、及びキット候補を選択しない。
【００８１】
処理回路２３０は、キットフラグ＝１である各検査オーダについて選択したジェネレータ、及びキットについて、溶出時刻を決定し、キットに同封される各溶出バイアルに溶出される娘核種を含む放射能溶液の単位容積当りの放射能量を取得する(ステップＳＡ１３)。具体的には、処理回路２３０は、例えば、オーダ番号「００００１」である検査オーダについて、検査日時が「2018.3.21 13:30」であるため、溶出時刻を、例えば、検査日時の1時間前である「2018.3.21 12:30」に決定する。そして、処理回路２３０は、ステップＳＡ１２で選択したジェネレータ、及びキットそれぞれについて、溶出放射能情報２４５を参照し、放射能量を取得する。図１０、及び図１１は、本実施形態に係る溶出放射能情報２４５を示す図である。図１０に示される溶出放射能情報２４５は、容量が５ｍｌのタイプの溶出バイアルを用いた場合の、各検定日毎に、検査日当日の各時刻にジェネレータから溶出可能な単位容積当りの放射能量を表す。また、図１１に示される溶出放射能情報２４５は、容量が１０ｍｌのタイプの溶出バイアルを用いた場合の、各検定日毎に、検査日当日の各時刻にジェネレータから溶出可能な単位容積当りの放射能量を表す。
【００８２】
このとき、処理回路２３０は、例えば、図１０に示される溶出放射能情報２４５を参照し、図８に示されるジェネレータ番号が１であるジェネレータ、図９に示されるキット番号が１であるキット、及び容量５ｍｌの組み合わせについて、ジェネレータの検定日が「2018.3.12」、溶出時刻が「2018.3.21 12:30」であるため、単位容積当りの放射能量として「８５」（ＭＢｑ／ｍｌ）を取得する。また、処理回路２３０は、図１０に示される溶出放射能情報２４５を参照し、例えば、図８に示されるジェネレータ番号が２であるジェネレータ、図９に示されるキット番号が１であるキット、及び容量５ｍｌの組み合わせについて、ジェネレータの検定日が「2018.3.19」、溶出時刻が「2018.3.21 12:30」であるため、単位容積当りの放射能量として「４９６」（ＭＢｑ／ｍｌ）を取得する。
【００８３】
また、処理回路２３０は、例えば、図１１に示される溶出放射能情報２４５を参照し、図８に示されるジェネレータ番号が１であるジェネレータ、図９に示されるキット番号が１であるキット、及び容量１０ｍｌの組み合わせについて、ジェネレータの検定日が「2018.3.12」、溶出時刻が「2018.3.21 12:30」であるため、単位容積当りの放射能量として「４３」（ＭＢｑ／ｍｌ）を取得する。また、処理回路２３０は、図１１に示される溶出放射能情報２４５を参照し、例えば、図８に示されるジェネレータ番号が２であるジェネレータ、図９に示されるキット番号が１であるキット、及び容量１０ｍｌの組み合わせについて、ジェネレータの検定日が「2018.3.19」、溶出時刻が「2018.3.21 12:30」であるため、単位容積当りの放射能量として「２４８」（ＭＢｑ／ｍｌ）を取得する。
【００８４】
また、処理回路２３０は、オーダ番号「０００１０」である検査オーダについても、オーダ番号「００００１」である検査オーダと同様に、単位容積当りの放射能量を取得する。具体的には、処理回路２３０は、オーダ番号「０００１０」である検査オーダについて、検査日時が「2018.3.21 14:30」であるため、溶出時刻を、例えば、検査日時の１時間前である「2018.3.21 13:30」に決定する。そして、処理回路２３０は、ステップＳＡ１２で選択したジェネレータ、及びキットそれぞれについて、溶出放射能情報２４５を参照し、放射能量を取得する。処理回路２３０は、図８に示されるジェネレータ番号が１であるジェネレータ、図９に示されるキット番号が１又は２であるキット、及び容量５ｍｌの組み合わせについて、単位容積当りの放射能量「７５」（ＭＢｑ／ｍｌ）を取得する。また、処理回路２３０は、図８に示されるジェネレータ番号が２であるジェネレータ、図９に示されるキット番号が１又は２であるキット、及び容量５ｍｌの組み合わせについて、単位容積当りの放射能量「４４２」（ＭＢｑ／ｍｌ）を取得する。
【００８５】
また、処理回路２３０は、図８に示されるジェネレータ番号が１であるジェネレータ、図９に示されるキット番号が１又は２であるキット、及び容量１０ｍｌの組み合わせについて、単位容積当りの放射能量「３８」（ＭＢｑ／ｍｌ）を取得する。また、処理回路２３０は、図８に示されるジェネレータ番号が２であるジェネレータ、図９に示されるキット番号が１又は２であるキット、及び容量１０ｍｌの組み合わせについて、単位容積当りの放射能量「２２１」（ＭＢｑ／ｍｌ）を取得する。
【００８６】
また、処理回路２３０は、オーダ番号「０１０００」である検査オーダについても、オーダ番号「００００１」である検査オーダと同様に、単位容積当りの放射能量を取得する。具体的には、処理回路２３０は、オーダ番号「０１０００」である検査オーダについて、検査日時が「2018.3.21 16:00」であるため、溶出時刻を、例えば、検査日時の１時間前である「2018.3.21 15:00」に決定する。そして、処理回路２３０は、ステップＳＡ１２で選択したジェネレータ、及びキットそれぞれについて、溶出放射能情報２４５を参照し、放射能量を取得する。図８に示されるジェネレータ番号が１であるジェネレータ、図９に示されるキット番号が２であるキット、及び容量５ｍｌの組み合わせについて、単位容積当りの放射能量「６３」（ＭＢｑ／ｍｌ）を取得する。図８に示されるジェネレータ番号が２であるジェネレータ、図９に示されるキット番号が２であるキット、及び容量５ｍｌの組み合わせについて、単位容積当りの放射能量「３７２」（ＭＢｑ／ｍｌ）を取得する。
【００８７】
また、処理回路２３０は、図８に示されるジェネレータ番号が１であるジェネレータ、図９に示されるキット番号が２であるキット、及び容量１０ｍｌの組み合わせについて、単位容積当りの放射能量「３２」（ＭＢｑ／ｍｌ）を取得する。図８に示されるジェネレータ番号が２であるジェネレータ、図９に示されるキット番号が２であるキット、及び容量１０ｍｌの組み合わせについて、単位容積当りの放射能量「１８６」（ＭＢｑ／ｍｌ）を取得する。
【００８８】
処理回路２３０は、キットフラグ＝１と設定した検査オーダについて、ステップＳＡ１１において算出した必要放射能量、及びステップＳＡ１３において取得した単位容積当りの放射能量に基づいて、各溶出バイアルから抜き取る放射能溶液の抜き取り液量を、ジェネレータ、キット、及び溶出バイアルの容量の組み合わせ毎に算出する（ステップＳＡ１４）。
【００８９】
具体的には、処理回路２３０は、例えば、オーダ番号「００００１」である検査オーダについて、検査日時「2018.3.21 13:30」における必要放射能量が「３８」ＭＢｑであるため、９９ｍＴｃの半減期が６時間であることを考慮して溶出時刻「2018.3.21 12:30」における必要放射能量は「４３」ＭＢｑであると算出する。
【００９０】
そして、処理回路２３０は、オーダ番号「００００１」である検査オーダ、並びに、図８に示されるジェネレータ番号が１であるジェネレータ、図９に示されるキット番号が１であるキット、及び容量５ｍｌの組み合わせについて、溶出時刻「2018.3.21 12:30」における必要放射能量は「４３」ＭＢｑ、かつ、単位容積当りの放射能量は「８５」（ＭＢｑ／ｍｌ）であるため、抜き取り液量を０．５１ｍｌ（少数点第３位を四捨五入）と算出する。また、処理回路２３０は、オーダ番号「００００１」である検査オーダ、並びに、図８に示されるジェネレータ番号が２であるジェネレータ、図９に示されるキット番号が１であるキット、及び容量５ｍｌの組み合わせについて、溶出時刻「2018.3.21 12:30」における必要放射能量は「４３」ＭＢｑ、かつ、単位容積当りの放射能量は「４９６」（ＭＢｑ／ｍｌ）であるため、抜き取り液量を０．０９ｍｌ（少数点第３位を四捨五入）と算出する。
【００９１】
また、処理回路２３０は、オーダ番号「００００１」である検査オーダ、並びに、図８に示されるジェネレータ番号が１であるジェネレータ、図９に示されるキット番号が１であるキット、及び容量１０ｍｌの組み合わせについて、溶出時刻「2018.3.21 12:30」における必要放射能量は「４３」ＭＢｑ、かつ、単位容積当りの放射能量は「４３」（ＭＢｑ／ｍｌ）であるため、抜き取り液量を１．００ｍｌ（少数点第３位を四捨五入）と算出する。また、処理回路２３０は、オーダ番号「００００１」である検査オーダ、並びに、図８に示されるジェネレータ番号が２であるジェネレータ、図９に示されるキット番号が１であるキット、及び容量１０ｍｌの組み合わせについて、溶出時刻「2018.3.21 12:30」における必要放射能量は「４３」ＭＢｑ、かつ、単位容積当りの放射能量は「２４８」（ＭＢｑ／ｍｌ）であるため、抜き取り液量を０．１７ｍｌ（少数点第３位を四捨五入）と算出する。
【００９２】
また、処理回路２３０は、オーダ番号「０００１０」である検査オーダについても、オーダ番号「００００１」である検査オーダと同様に、抜き取り液量を算出する。具体的には、処理回路２３０は、例えば、オーダ番号「０００１０」である検査オーダについて、検査日時「2018.3.21 14:30」における必要放射能量が「１８０」ＭＢｑであるため、９９ｍＴｃの半減期が６時間であることを考慮して溶出時刻「2018.3.21 13:30」における必要放射能量は「２０２」ＭＢｑであると算出する。
【００９３】
そして、処理回路２３０は、オーダ番号「０００１０」である検査オーダ、並びに、図８に示されるジェネレータ番号が１であるジェネレータ、図９に示されるキット番号が１又は２であるキット、及び容量５ｍｌの組み合わせについて、抜き取り液量を２．６９ｍｌ（少数点第３位を四捨五入）と算出する。また、処理回路２３０は、オーダ番号「０００１０」である検査オーダ、並びに、図８に示されるジェネレータ番号が２であるジェネレータ、図９に示されるキット番号が１又は２であるキット、及び容量５ｍｌの組み合わせについて、抜き取り液量を０．４６ｍｌ（少数点第３位を四捨五入）と算出する。
【００９４】
また、処理回路２３０は、オーダ番号「０００１０」である検査オーダ、並びに、図８に示されるジェネレータ番号が１であるジェネレータ、図９に示されるキット番号が１又は２であるキット、及び容量１０ｍｌの組み合わせについて、抜き取り液量を５．３２ｍｌ（少数点第３位を四捨五入）と算出する。また、処理回路２３０は、オーダ番号「０００１０」である検査オーダ、並びに、図８に示されるジェネレータ番号が２であるジェネレータ、図９に示されるキット番号が１又は２であるキット、及び容量１０ｍｌの組み合わせについて、抜き取り液量を０．９１ｍｌ（少数点第３位を四捨五入）と算出する。
【００９５】
また、処理回路２３０は、オーダ番号「０１０００」である検査オーダについても、オーダ番号「００００１」である検査オーダと同様に、抜き取り液量をと算出する。具体的には、処理回路２３０は、例えば、オーダ番号「０１０００」である検査オーダについて、検査日時「2018.3.21 16:00」における必要放射能量が「４５０」ＭＢｑであるため、９９ｍＴｃの半減期が６時間であることを考慮して溶出時刻「2018.3.21 15:00」における必要放射能量は「５０６」ＭＢｑであると算出する。
【００９６】
そして、処理回路２３０は、オーダ番号「０１０００」である検査オーダ、並びに、図８に示されるジェネレータ番号が１であるジェネレータ、図９に示されるキット番号が２であるキット、及び容量５ｍｌの組み合わせについて、抜き取り液量を８．０３ｍｌ（少数点第３位を四捨五入）と算出する。また、処理回路２３０は、オーダ番号「０００１０」である検査オーダ、並びに、図８に示されるジェネレータ番号が２であるジェネレータ、図９に示されるキット番号が２であるキット、及び容量５ｍｌの組み合わせについて、抜き取り液量を１．３６ｍｌ（少数点第３位を四捨五入）と算出する。
【００９７】
また、処理回路２３０は、オーダ番号「０１０００」である検査オーダ、並びに、図８に示されるジェネレータ番号が１であるジェネレータ、図９に示されるキット番号が２であるキット、及び容量１０ｍｌの組み合わせについて、抜き取り液量を１５．８１ｍｌ（少数点第３位を四捨五入）と算出する。また、処理回路２３０は、オーダ番号「０１０００」である検査オーダ、並びに、図８に示されるジェネレータ番号が２であるジェネレータ、図９に示されるキット番号が２であるキット、及び容量１０ｍｌの組み合わせについて、抜き取り液量を２．７２ｍｌ（少数点第３位を四捨五入）と算出する。
【００９８】
処理回路２３０は、キットフラグ＝１と設定した検査オーダについて、算出した抜き取り液量が、例えば、０．５ｍｌ以上となる溶出バイアルを、放射性医薬品の調製に使用する溶出バイアルの候補として選出する（ステップＳＡ１５）。具体的には、処理回路２３０は、例えば、オーダ番号「００００１」である検査オーダについて、図８に示されるジェネレータ番号が１であるジェネレータ、図９に示されるキット番号が１であるキット、及び容量５ｍｌの組み合わせで定まる溶出バイアル、すなわち抜き取り液量が０．５１ｍｌと算出された溶出バイアルを放射性医薬品の調製に使用する溶出バイアルの候補として選出する。また、処理回路２３０は、図８に示されるジェネレータ番号が１であるジェネレータ、図９に示されるキット番号が１であるキット、及び容量１０ｍｌの組み合わせで定まる溶出バイアル、すなわち抜き取り液量が１．００ｍｌと算出された溶出バイアルを、放射性医薬品の調製に使用する溶出バイアルの候補として選出する。これにより、３つの溶出バイアルの候補が選出される。
【００９９】
処理回路２３０は、オーダ番号「０００１０」である検査オーダについても、オーダ番号「００００１」である検査オーダと同様に、溶出バイアルの候補を選出する。具体的には、処理回路２３０は、図８に示されるジェネレータ番号が１であるジェネレータ、図９に示されるキット番号が１又は２であるキット、及び容量５ｍｌの組み合わせで定まる溶出バイアル、すなわち抜き取り液量が２．６９ｍｌと算出された溶出バイアルを放射性医薬品の調製に使用する溶出バイアルの候補として選出する。また、処理回路２３０は、図８に示されるジェネレータ番号が１であるジェネレータ、図９に示されるキット番号が１又は２であるキット、及び容量１０ｍｌの組み合わせで定まる溶出バイアル、すなわち抜き取り液量が５．３２ｍｌと算出された溶出バイアルを、放射性医薬品の調製に使用する溶出バイアルの候補として選出する。また、処理回路２３０は、図８に示されるジェネレータ番号が２であるジェネレータ、図９に示されるキット番号が１又は２であるキット、及び容量１０ｍｌの組み合わせで定まる溶出バイアル、すなわち抜き取り液量が０．９１ｍｌと算出された溶出バイアルを、放射性医薬品の調製に使用する溶出バイアルの候補として選出する。これにより、６つの溶出バイアルの候補が選出される。
【０１００】
処理回路２３０は、オーダ番号「０１０００」である検査オーダについても、オーダ番号「００００１」である検査オーダと同様に、溶出バイアルの候補を選出する。具体的には、処理回路２３０は、図８に示されるジェネレータ番号が２であるジェネレータ、図９に示されるキット番号が２であるキット、及び容量５ｍｌの組み合わせで定まる溶出バイアル、すなわち抜き取り液量が１．３６ｍｌと算出された溶出バイアルを放射性医薬品の調製に使用する溶出バイアルの候補として選出する。また、処理回路２３０は、図８に示されるジェネレータ番号が２であるジェネレータ、図９に示されるキット番号が２であるキット、及び容量１０ｍｌの組み合わせで定まる溶出バイアル、すなわち抜き取り液量が２．７２ｍｌと算出された溶出バイアルを放射性医薬品の調製に使用する溶出バイアルの候補として選出する。これにより、２つの溶出バイアルの候補が選出される。
【０１０１】
なお、処理回路２３０は、抜き取り液量が８．０３ｍｌと算出された溶出バイアルについては、抜き取り液量が容量５ｍｌを超えるため選出しない。また、処理回路２３０は、抜き取り液量が１５．８１ｍｌと算出された溶出バイアルについては、抜き取り液量が容量１０ｍｌを超えるため選出しない。
【０１０２】
なお、処理回路２３０は、算出された抜き取り液量が０．５ｍｌ以上の溶出バイアルが選出されなかった検査オーダ、すなわちジェネレータの候補、キットの候補、及び溶出バイアルの容量の組み合わせで定まる各溶出バイアルについて算出された抜き取り液量が全ての溶出バイアルについて０．５ｍｌ未満であった検査オーダについて、所定の条件を満たす場合、準備方法を変更するか否か選択させるための確認画面を表示する。具体的には、処理回路２３０は、算出された抜き取り液量が０．５ｍｌ以上の溶出バイアルが選出されなかった検査オーダについて、当該検査オーダに係る検査で使用する放射性医薬品が外部発注可能な場合は、当該放射性医薬品の準備方法について、キット製剤を用いて院内で調製する方法からシリンジ製剤を外部に発注する方法に変更するか否かを放射線技師等に選択させるための確認画面を、例えばＲＩＳ端末２２が備えるディスプレイに表示する。
【０１０３】
処理回路２３０は、各検査オーダについて、ステップＳＡ１５で選出した溶出バイアルの候補の中から検査で使用する溶出バイアルを決定する（ステップＳＡ１６）。処理回路２３０は、例えば、同一の検査オーダについて複数の溶出バイアルの候補がある場合、当該検査オーダに対して算出された抜き取り液量の多いものから優先的に溶出バイアルの候補を割り当てる。具体的には、処理回路２３０は、例えば、オーダ番号「００００１」である検査オーダについて、選出された溶出バイアルのうち、算出された抜き取り液量の多い、図８に示されるジェネレータ番号が１であるジェネレータ、図９に示されるキット番号が１であるキット、及び容量１０ｍｌの組み合わせで定まる溶出バイアルの候補を優先的に割り当てる。
【０１０４】
さらに、処理回路２３０は、例えば、複数の検査オーダについて同一の溶出バイアルの候補が選出されている場合、選出された溶出バイアルの候補の数が少ない検査オーダに対して優先的に当該選出されている溶出バイアルの候補を割り当てる。具体的には、本実施形態では、例えば、オーダ番号「００００１」である検査オーダ、及びオーダ番号「０００１０」である検査オーダについて、同一の溶出バイアルの候補、すなわち、ジェネレータ番号が１であるジェネレータ、図９に示されるキット番号が１であるキット、及び容量１０ｍｌの組み合わせで定まる溶出バイアルの候補が選出されている。処理回路２３０は、この溶出バイアルの候補を、例えば、３つの溶出バイアルの候補が選出されているオーダ番号「００００１」である検査オーダ、及び６つの溶出バイアルの候補が選出されているオーダ番号「０００１０」である検査オーダのうち、ステップＳＡ１５で選出された溶出バイアルの候補の数が少ないオーダ番号「００００１」である検査オーダに優先的に溶出バイアルの候補を割り当てる。
【０１０５】
これにより、処理回路２３０は、オーダ番号「００００１」である検査オーダについて、図８に示されるジェネレータ番号が１であるジェネレータ、及び図９に示されるキット番号が１であるキット、容量が１０ｍｌの組み合わせで定まる溶出バイアルの候補を、検査で使用する溶出バイアルとして決定する。
【０１０６】
また、処理回路２３０は、オーダ番号「０００１０」である検査オーダについては、例えば、オーダ番号「００００１」である検査オーダについて決定された検査で使用する溶出バイアルを、オーダ番号「０００１０」である検査オーダに係る検査で使用する溶出バイアルとして決定する。
【０１０７】
このとき、オーダ番号「０００１０」である検査オーダについて、溶出時刻「2018.3.21 12:30」において容量１０ｍｌの溶出バイアルに、溶出される娘核種を含む１０ｍｌの放射能溶液が抽出される。そして、オーダ番号「０００１０」である検査オーダに係る検査のために１．００ｍｌの放射能溶液が抜き取られるが、９ｍｌの放射能溶液が溶出バイアルに残る。このため、処理回路２３０は、オーダ番号「０００１０」である検査オーダについて、検査時刻「2018.3.21 14:30」において、放射能溶液の放射能濃度は３４（ＭＢｑ／ｍｌ）となっているため、抜き取り液量を、１８０（ＭＢｑ）÷３４（ＭＢｑ／ｍｌ）＝５．２９ｍｌ（少数点第３位を四捨五入）と再度算出する。なお、抜き取り液量が０．５ｍｌ未満である場合、又は、９ｍｌを超える場合、処理回路２３０は、他のジェネレータの候補、キットの候補、及び溶出バイアルの容量の組み合わせで定まる溶出バイアルの候補の中から検査で使用する溶出バイアルを決定する。
【０１０８】
処理回路２３０は、オーダ番号「０１０００」である検査オーダについては、オーダ番号「００００１」である検査オーダと同様に、検査で使用する溶出バイアルを決定する。具体的には、処理回路２３０は、図８に示されるジェネレータ番号が２であるジェネレータ、及び図９に示されるキット番号が２であるキット、及び容量１０ｍｌの組み合わせで定まる溶出バイアルを、検査で使用する溶出バイアルとして決定する。
【０１０９】
処理回路２３０は、各検査で使用する溶出バイアルを決定すると、表示制御機能２３４を実行し、各検査で使用する放射性医薬品の準備方法の概要を表す準備方法一覧を、ＲＩＳ端末２２が備えるディスプレイに表示する（ステップＳＡ１７）。図１２は、本実施形態に係るＲＩＳ端末２２が備えるディスプレイに表示される放射性医薬品に関する準備方法一覧の例を表す図である。図１２では、検査オーダ毎に、準備方法の詳細を表示するための選択ボタンを表すラジオボタン、オーダ番号、患者ＩＤ、患者名、放射性医薬品、検査日時、キット又はシリンジの別、及び必要放射能量が表示されている。
【０１１０】
図１２に示される放射性医薬品に関する準備方法一覧は、オーダ番号「００００１」である検査オーダに係る検査に使用する放射性医薬品「Ｘ注射液」が「キット」製剤を用いて準備されることを表している。また、図１２に示される放射性医薬品に関する準備方法一覧は、オーダ番号「０００１０」である検査オーダに係る検査に使用する放射性医薬品「Ｙ注射液」が「キット」製剤を用いて準備されることを表している。また、図１２に示される放射性医薬品に関する準備方法一覧は、オーダ番号「００１００」である検査オーダに係る検査に使用する放射性医薬品「Ｚ注射液」が「シリンジ」製剤を用いて準備されることを表している。また、図１２に示される放射性医薬品に関する準備方法一覧は、オーダ番号「０１０００」である検査オーダに係る検査に使用する放射性医薬品「Ｙ注射液」が「キット」製剤を用いて準備されることを表している。これにより、放射線技師等は、各検査オーダに係る検査に使用する放射性医薬品を病院内で調製するべきか否かを、容易に認識することが可能となる。
【０１１１】
処理回路２３０は、準備方法一覧を表示すると、通信インターフェース２５０を介して、ＲＩＳ端末２２から調製予定の放射性医薬品の選択を受け付ける（ステップＳＡ１８）。このとき、例えば、放射線技師等は、ＲＩＳ端末２２のディスプレイを視認し、ＲＩＳ端末２２の入力インターフェースを介して、図１２に示されるラジオボタンのうち、オーダ番号「００００１」に対応するラジオボタンを選択する。
【０１１２】
処理回路２３０は、例えば、オーダ番号「００００１」に対応するラジオボタンが選択されると、選択されたラジオボタンに対応する放射性医薬品について、準備方法の詳細、すなわち調製方法を表示する（ステップＳＡ１９）。図１３は、本実施形態に係るＲＩＳ端末２２が備えるディスプレイに表示される準備方法の詳細を表す図である。
【０１１３】
図１３は、オーダ番号「００００１」に対応する検査オーダの調製方法を表している。図１３は、ジェネレータからの溶出、希釈及び濃度調整、標識、及び分注の工程で必要な各種パラメータが表示されている。具体的には、ジェネレータから溶出する工程では、例えば、図１３に示されるように、ジェネレータ名「９９Ｍｏ−９９ｍＴｃ」、及び検定日「2018.3.12」であるジェネレータ、キット名「Ａ」であるキット、並びに容量が「１０」ｍｌの溶出バイアルを使用して、検査日当日２０１８年３月２１日の溶出時刻「12:30」に「４３０」ＭＢｑの娘核種を溶出する旨が表示されている。これにより、放射線技師等は、ジェネレータから放射能溶液を溶出する溶出方法を容易に把握することが可能となる。
【０１１４】
また、希釈及び濃度調整の工程では、例えば、図１３に示されるように、溶出バイアルからの抜き取り液量として、抜き取る放射能量が「４３」ＭＢｑ、抜き取り液量が「１．０」ｍｌである旨が表示されている。また、希釈及び濃度調整に用いる生理食塩液量が「３」ｍｌである旨が表示されている。また、溶出バイアルから抜き取った放射能溶液を生理食塩液により希釈した後の調整済放射能溶液、すなわち調整済テクネチウム溶液の量として、含まれる放射能量が「４３」ＭＢｑ、調整済テクネチウム溶液の液量が「４．０」ｍｌである旨が表示されている。これにより、放射線技師等は、溶出バイアルに収容された放射能溶液の希釈及び濃度調整方法を容易に把握することが可能となる。
【０１１５】
また、標識の工程では、例えば、図１３に示されるように、標識調整に必要な還元化合物が収容されたキットバイアルの常温戻し時刻が検査日当日２０１８年３月２１日の「13:00」であること、及び戻し時間、すなわち室温放置時間が「５」分であることが表示されている。なお、キットバイアルは、通常、冷蔵庫に保管されているため、標識率を上げるため常温に戻す工程が必要となる。また、キットバイアルの常温戻し後に、「４」ｍｌの調整済テクネチウム溶液をキットバイアルに添加する旨が表示されている。これにより、放射線技師等は、標識方法を容易に把握することが可能となる。なお、「４」ｍｌの調整済テクネチウム溶液をキットバイアルに添加すると、「４３０」ＭＢｑの放射能を含む「５」ｍｌの標識済テクネチウム溶液が生成されるものとする。
【０１１６】
また、分注の工程では、例えば、図１３に示されるように、標識済テクネチウム溶液が収容されたキットバイアルから抜き取る標識薬の量について、放射能量が「４３」ＭＢｑ、標識薬の液量が「５．０」ｍｌである旨が表示されている。さらに、検査開始予定時刻の標識薬の量について、放射能量が「３８」ＭＢｑ、標識薬の液量が「５．０」ｍｌである旨が表示されている。これにより、放射線技師等は、分注方法を容易に把握することが可能となる。さらに、検査開始予定時刻の標識薬が含む放射能量も表示されるため、放射線技師等は、実際に患者に投与される放射能量を把握することが可能となる。
【０１１７】
また、図１３に示される準備方法の詳細で表示されている各種パラメータは、変更することが可能である。例えば、ＲＩＳ端末２２が備える入力インターフェースを介して、図１３に示される変更ボタンＢ１が指定されることにより各種パラメータを変更することが可能となる。
【０１１８】
本実施形態によれば、管理装置２３が備える処理回路２３０は、患者に関する患者情報及び放射線検査に関する検査オーダ情報に基づいて必要放射能量を算出する。処理回路２３０は、算出した必要放射能量、及び、病院内で供給可能な放射能溶液の放射能濃度に基づいて、放射性医薬品の調製方法を決定する。処理回路２３０は、決定した調製方法をＲＩＳ端末２２が備えるディスプレイに提示する。
【０１１９】
これにより、放射線技師等は、放射性医薬品の調製に必要な各種パラメータの演算をする必要がなくなる。また、放射性医薬品の調製方法がＲＩＳ端末２２のディスプレイに表示されるため、放射線技師等による調製手順書の作成を支援することが可能となる。
【０１２０】
したがって、本実施形態に係る管理装置によれば、放射性医薬品を準備する業務を効率化することが可能となる。
【０１２１】
なお、準備方法一覧の表示態様は、図１２に示される準備方法一覧に限定されない。例えば、管理装置２３は、準備方法一覧を図７に示される上限値を用いて、上限値を超過する検査オーダについて、警告表示するようにしてもよい。図１４は、本実施形態に係る管理装置２３が、各検査について、放射能量に関する上限値を超える検査を警告表示する際の処理回路２３０の動作の例を表すフローチャートである。以下の説明では、処理回路２３０は、図３、及び図４に示されるステップＳＡ１からステップＳＡ１６までの処理を実行した後に、図１４に示されるフローチャートの処理を実行するものとする。
【０１２２】
処理回路２３０は、各検査オーダについて、図７に示される検査情報２４２を参照し、放射能量に関する上限値を取得する（ステップＳＢ１）。具体的には、処理回路２３０は、オーダ番号「００００１」である検査オーダについては、検査コード「２０００１」であるため、上限値「２５０」（ＭＢｑ）を取得する。また、処理回路２３０は、オーダ番号「０００１０」である検査オーダについては、検査コード「２００１０」であるため、上限値「４００」（ＭＢｑ）を取得する。また、処理回路２３０は、オーダ番号「００１００」である検査オーダについては、検査コード「２０１００」であるため、上限値「６００」（ＭＢｑ）を取得する。また、処理回路２３０は、オーダ番号「０１０００」である検査オーダについては、検査コード「２１０００」であるため、上限値「４００」（ＭＢｑ）を取得する。
【０１２３】
処理回路２３０は、各検査オーダについて、ステップＳＡ１１において算出した必要放射能量と取得した上限値とを比較する（ステップＳＢ２）。具体的には、処理回路２３０は、オーダ番号「０１０００」である検査オーダについては、算出した必要放射能量「３８」（ＭＢｑ）と、上限値「２５０」（ＭＢｑ）とを比較する。また、処理回路２３０は、オーダ番号「０００１０」である検査オーダについては、算出した必要放射能量「１８０」（ＭＢｑ）と、上限値「４００」（ＭＢｑ）とを比較する。また、処理回路２３０は、オーダ番号「００１００」である検査オーダについては、算出した必要放射能量「２００」（ＭＢｑ）と、上限値「６００」（ＭＢｑ）とを比較する。また、処理回路２３０は、オーダ番号「０１０００」である検査オーダについては、算出した必要放射能量「４５０」（ＭＢｑ）と、上限値「４００」（ＭＢｑ）とを比較する。
【０１２４】
処理回路２３０は、必要放射能量が上限値を超える検査オーダについて警告フラグ＝１と設定する（ステップＳＢ３）。具体的には、処理回路２３０は、オーダ番号「０１０００」である検査オーダについて、必要放射能量が上限値を超えているため、警告フラグ＝１と設定する。
【０１２５】
処理回路２３０は、必要放射能量が上限値を超える検査オーダについて警告フラグを設定すると、表示制御機能２３４を実行し、各検査で使用する放射性医薬品の準備方法の概要を表す準備方法一覧を、ＲＩＳ端末２２が備えるディスプレイに表示する（ステップＳＢ４）。このとき、処理回路２３０は、警告フラグ＝１と設定された検査オーダについて、警告対象であることが分かる表示態様で準備方法一覧を表示する。例えば、処理回路２３０は、警告フラグ＝１と設定された検査オーダについて準備方法を表示する領域に色又は図形等を付して準備方法一覧を表示する。なお、処理回路２３０は、警告フラグ＝１と設定された検査オーダについて、警告対象であることが分かるように、当該検査オーダについて準備方法を表示する領域に文字列等の所定の識別子を付して準備方法一覧を表示してもよい。
【０１２６】
図１５は、実施形態に係るＲＩＳ端末２２が備えるディスプレイに表示される準備方法一覧の他の例を表す図である。図１５では、検査オーダ毎に、準備方法の詳細を表示するための選択ボタンを表すラジオボタン、オーダ番号、患者ＩＤ、患者名、体重（ｋｇ）、放射性医薬品、検査日時、キット製剤又はシリンジの別、必要放射能量（ＭＢｑ）、及び上限値（ＭＢｑ）が表示されている。図１５によれば、必要放射能量が上限値を超えるオーダ番号「０１０００」である検査オーダについて準備方法を表示する領域に点ハッチングで表される所定の色が付されている。
【０１２７】
これにより、放射線技師等は、算出した必要放射能量が上限値を超える検査を容易に把握することができ、当該検査に使用する放射性医薬品を変更すること等が可能となる。
【０１２８】
［他の実施形態］
上記実施形態では、実施形態に係る管理装置がＲＩＳサーバとは別に設けられる場合を例に説明したがこれに限定されない。例えば、ＲＩＳサーバが上記実施形態に係る管理装置が備える各機能を備えるようにしてもよい。図１６は、他の実施形態に係るＲＩＳサーバ２１Ａが含まれる医療情報システムを表すブロック図である。図１６に示される医療情報システムは、病院情報システム１、放射線部門情報管理システム２Ａ、医用画像診断装置３、及び医用画像管理システム４を備える。
【０１２９】
病院情報システム１、放射線部門情報管理システム２Ａ、医用画像診断装置３、及び医用画像管理システム４は、ローカルネットワークに接続し、所定の装置へ情報を送信すると共に、所定の装置から送信される情報を受信する。なお、医療情報システムは、ローカルネットワークに加え、又は、ローカルネットワークの代わりに、外部のネットワークに接続しても構わない。
【０１３０】
図１６に示される病院情報システム１の機能は、図１に示される病院情報システム１の機能と同様である。
【０１３１】
図１６に示される放射線部門情報管理システム２Ａは、放射線検査業務に係る検査予約情報を管理するシステムである。放射線部門情報管理システム２Ａは、ＲＩＳサーバ２１Ａ、ＲＩＳ端末１２を含む。
【０１３２】
ＲＩＳサーバ２１Ａは、図１に示されるＲＩＳサーバ２１が備える機能に加えて、例えば、病院内で使用される放射性医薬品に関する情報を管理する機能を有する。ＲＩＳサーバ２１Ａの詳細については後述する。図１６に示されるＲＩＳ端末２２の機能は、図１に示されるＲＩＳ端末２２の機能と同様である。
図１６に示される医用画像診断装置３の機能は、図１に示される医用画像診断装置３の機能と同様である。図１６に示される医用画像管理システム４の機能は、図１に示される医用画像管理システム４の機能と同様である。
【０１３３】
以下、他の実施形態に係るＲＩＳサーバ２１Ａの詳細について説明する。図１７は、図１６に示されるＲＩＳサーバ２１Ａの機能構成を示すブロック図である。
【０１３４】
図１７に示されるＲＩＳサーバ２１Ａは、処理回路２３０、メモリ２４０Ａ、及び通信インターフェース２５０を有する。処理回路２３０、メモリ２４０Ａ、及び通信インターフェース２５０は、例えば、バスを介して互いに通信可能に接続されている。
【０１３５】
図１７に示される通信インターフェース２５０が備える機能は、図２に示される通信インターフェース２５０が備える機能と同様である。
【０１３６】
図１７に示されるメモリ２４０Ａは、例えば、図２に示されるメモリ２４０が記憶する医薬品情報２４１、検査情報２４２、ジェネレータ情報２４３、キット情報２４４、及び溶出放射能情報２４５に加えて、検査オーダ情報２４６を記憶している。検査オーダ情報２４６に含まれる情報は、病院情報システム１から直接送信される検査オーダ情報を含む。
【０１３７】
図１７に示される処理回路２３０が備える機能は、図２に示される処理回路２３０が備える機能と同様である。
【０１３８】
他の実施形態に係るＲＩＳサーバ２１Ａは、図１に示されるＲＩＳサーバ２１が備える検査予約機能に加えて、病院内で使用される放射性医薬品に関する情報を管理する機能を有する。また、ＲＩＳサーバ２１Ａは、病院情報システム１から直接患者情報及び検査オーダ情報を受信する。これにより、情報の一括管理が可能となり、新たに装置を設けることなく、病院内で使用される放射性医薬品に関する情報を管理することが可能となる。
【０１３９】
また、上記実施形態において、処理回路２３０は、表示制御機能２３４を実行し、各検査オーダについて、決定機能２３３により決定した１組のジェネレータの候補、キットの候補、及び溶出バイアルの容量の組み合わせを、ＲＩＳ端末２２が備えるディスプレイに表示していたがこれに限定されない。例えば、処理回路２３０は、表示制御機能２３４を実行し、各検査オーダについて、決定機能２３３により選出された複数のジェネレータの候補、キットの候補、及び溶出バイアルの容量の組み合わせを、ＲＩＳ端末２２が備えるディスプレイに表示するようにしてもよい。
【０１４０】
また、上記実施形態において、必要放射能量を算出するための情報は、体重単位質量当りの必要放射能量であったがこれに限られない。例えば、必要放射能量を算出するための情報は、所定の範囲の体重に応じた必要放射能量であってもよい。具体的には、例えば、「３０−５０ｋｇの範囲の体重に対する必要放射能量は５５５ＭＢｑ」、「５０−７０ｋｇの範囲の体重に対する必要放射能量は７４０ＭＢｑ」、及び「７０ｋｇ超の範囲の体重に対する必要放射能量は９２５ＭＢｑ」等のような情報である。
【０１４１】
また、上記実施形態において、処理回路２３０は、例えば、図１３に示される準備方法の詳細で表示されている各種パラメータを変更できるようにしていたがこれに限定されない。例えば、処理回路２３０は、図１２に示されるキット又はシリンジの別に表示される「キット」又は「シリンジ」を、例えばＲＩＳ端末２２が備える入力インターフェースを介して変更できるようにしてもよい。
【０１４２】
上記説明において用いた「プロセッサ」という文言は、例えば、ＣＰＵ（Central Processing Unit）、ＧＰＵ(Graphics Processing Unit)、或いは、特定用途向け集積回路（Application Specific Integrated Circuit：ＡＳＩＣ））、プログラマブル論理デバイス（例えば、単純プログラマブル論理デバイス（Simple Programmable Logic Device：ＳＰＬＤ）、複合プログラマブル論理デバイス（Complex Programmable Logic Device：ＣＰＬＤ）、及びフィールドプログラマブルゲートアレイ（Field Programmable Gate Array：ＦＰＧＡ））等の回路を意味する。プロセッサは記憶回路に保存されたプログラムを読み出し実行することで機能を実現する。なお、本実施形態の各プロセッサは、プロセッサごとに単一の回路として構成される場合に限らず、複数の独立した回路を組み合わせて１つのプロセッサとして構成し、その機能を実現するようにしてもよい。さらに、図１、及び２における複数の構成要素を１つのプロセッサへ統合してその機能を実現するようにしてもよい。
【０１４３】
以上説明した少なくとも１つの実施形態によれば、放射性医薬品を準備する業務を効率化することができる。
【０１４４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１４５】
１…病院情報システム
２…放射線部門情報管理システム
３…医用画像診断装置
４…医用画像管理システム
２１…ＲＩＳサーバ
２２…ＲＩＳ端末
２３…管理装置
２３０…処理回路
２４０…メモリ
２５０…通信インターフェース
２３１…取得機能
２３２…演算機能
２３３…決定機能
２３４…表示制御機能
２４１…医薬品情報
２４２…検査情報
２４３…ジェネレータ情報
２４４…キット情報
２４５…溶出放射能情報
２４６…検査オーダ情報
【図１】
2019185116.tif 000003
【図２】
2019185116.tif 000004
【図３】
2019185116.tif 000005
【図４】
2019185116.tif 000006
【図５】
2019185116.tif 000007
【図６】
2019185116.tif 000008
【図７】
2019185116.tif 000009
【図８】
2019185116.tif 000010
【図９】
2019185116.tif 000011
【図１０】
2019185116.tif 000012
【図１１】
2019185116.tif 000013
【図１２】
2019185116.tif 000014
【図１３】
2019185116.tif 000015
【図１４】
2019185116.tif 000016
【図１５】
2019185116.tif 000017
【図１６】
2019185116.tif 000018
【図１７】
2019185116.tif 000019